(57)【要約】【課題】ヘッドホンの使用上問題にならず、ヘッドホン上部に設けられた親機の受発光部との可視光通信を適切に行うことができ、かつ、低コストで製造容易なヘッドホンを提供する。【解決手段】スピーカ２と当接部４の上部であって、ヘッドバンド５の両端部には、可視光を受信する一方で赤外光を発し、ヘッドホン１とは別に設けられた親機Ｓと可視光通信を行なう受発光部６ａ及び６ｂを備える。受発光部６ａ及び６ｂは、回路構成やケーブル等を内蔵しスピーカ、マイクロホン及び反対の端部の受発光部と接続するための内部構成を備えた筐体６１を備え、筐体６１の表面部分の上下に、それぞれ受光素子６２と、発光素子６３とをそれぞれ複数備える。また、その受光素子と発光素子との間に円盤上の基板６４を備える。【選択図】図１
2011035570.tif 000002
【特許請求の範囲】
【請求項１】
一方にスピーカと、他方にスピーカ又は装着時にユーザの側頭部に当接してヘッドホンの位置固定を行なう当接部と、装着時にユーザの頭部を横断する円弧状のヘッドバンドと、前記スピーカ又は前記当接部と前記ヘッドバンドとを接続するハンガと、ユーザから音声の入力を受けるマイクロホンと、受光素子と発光素子とを一体にして備え、受光素子より外部から入力される音声を受信し前記スピーカから出力し、発光素子より前記マイクロホンに入力される音声を外部に出力することにより可視光通信を可能とする受発光部と、を備えたヘッドホンにおいて、
前記受発光部は、前記スピーカ又は当接部の上部近傍に位置する前記ヘッドバンドの端部又は前記ハンガに設けられ、この位置は、ヘッドホン装着時において前記ヘッドバンドの拡がりによって傾いた場合に、前記受光素子の指向角に基づく受光範囲が、頭部上を覆うような位置であることを特徴とするヘッドホン。
【請求項２】
一方にスピーカと、他方にスピーカ又は装着時にユーザの側頭部に当接してヘッドホンの位置固定を行なう当接部と、装着時にユーザの頭部を横断する円弧状のヘッドバンドと、前記スピーカ又は前記当接部と前記ヘッドバンドとを接続するハンガと、ユーザから音声の入力を受けるマイクロホンと、受光素子と発光素子とを一体にして備え、受光素子より外部から入力される音声を受信し前記スピーカから出力し、発光素子より前記マイクロホンに入力される音声を外部に出力することにより可視光通信を可能とする受発光部と、を備えたヘッドホンにおいて、
前記受発光部は、前記スピーカ又は当接部の上部近傍に位置する前記ヘッドバンドの端部又は前記ハンガに設けられるとともに、基板により上下に二分され、
前記受発光部の前記基板より上側に、前記受光素子が複数設けられ、
前記受発光部の前記基板より下側に、前記発光素子が複数設けられ、
前記受発光部における前記基板の上側と下側とは、前記基板により遮光されていることを特徴とするヘッドホン。
【請求項３】
前記受光素子又は前記発光素子は、前記基板の上下に、それぞれ放射状に設置されたことを特徴とする請求項２記載のヘッドホン。
【請求項４】
前記受発光部は、ヘッドホンの両側にそれぞれ設けられたことを特徴とする請求項１〜３のいずれか１項に記載のヘッドホン。
【請求項５】
ヘッドホンの両側に設けられた前記受発光部は、ケーブルにより電気的に接続され、
このケーブルは、前記ヘッドバンドに収納されたことを特徴とする請求項４記載のヘッドホン。
【請求項６】
前記ハンガには、ハンガの長さを調整可能な長さ調整機構が設けられたことを特徴とする請求項１〜５のいずれか１項に記載のヘッドホン。
【発明の詳細な説明】
【技術分野】
【０００１】
本発明は、主として工場や機械設備等の現場における作業・保守やテレビ局等の放送局の現場において用いられる可視光通信が可能なヘッドホンに関する。
【背景技術】
【０００２】
電波を使用した通話機器は、機械設備や医療機器へ電波による影響を与えるため、これらの装置や機器を誤動作させる問題がある。また、有線による通話機器は配線が必要なため、作業などで使用する場合には、配線が邪魔となるなど作業の障害となることがある。
【０００３】
このような観点から、可視光通信システムに関する提案が従来からなされている。例えば、特許文献１では、親機と子機間の通信を、ＬＥＤを使用した可視光あるいは赤外線を使用する技術が開示されている。このような可視光通信では、ＬＥＤ照明が照らす範囲のみにおいて通信が可能で、電波を使用した通信機器の欠点を解消することができると共に、電波のように隣の部屋に通信内容が漏れることがなく、セキュリティの高いシステムの構築が可能である。
【０００４】
また、親機と子機との間で、上記のような可視光通信を可能とする端末構成について、特許文献２に開示されている。特許文献２では、ヘッドホンに取り付けられたマイクロホンと、ヘッドホンの頂部近傍に取り付けられた赤外線放射部を有する送信部と、ヘッドホンの頂部近傍に取り付けられた赤外線受光部を有する受信部とを備え、赤外線通信による音声信号の送受信可能な移動端末として構成したものである。この赤外線放射部と赤外線受光部とは、所定の指向角の赤外線放射素子又は赤外線受光素子を所定の指向角の範囲内の所定角度ごとに複数備えてなる。このような赤外線放射部及び赤外線受光部の構成により、室内天井等に設けられた可視光の受発光部である親機側における赤外線受発光の指向角を実質的に広くするようにしたものである。
【先行技術文献】
【特許文献】
【０００５】
【特許文献１】特開２００４−２２１７４７号公報
【特許文献２】特開２００２−４４０２９号公報
【発明の概要】
【発明が解決しようとする課題】
【０００６】
ところで、可視光通信を行なう場合、親機となる装置の受発光部は、室内の照明設置位置である天井中央に設置されるのが一般的である。したがって、可視光通信を可能とした端末構成としては、特許文献２において開示されるように、ヘッドホンの頂部近傍に赤外線の受発光部を設けるのが、親機との受発光による通信の感度を考えた場合には、最適な位置である。
【０００７】
しかしながら、一般的にヘッドホンの頭頂部部分に、ヘッドホンのヘッドバンドより突出した部材を設けると、この受発光部を、作業現場の他の機器や設備に接触させるなど、作業者や使用者の邪魔となる。
【０００８】
そこで、発明者らは、ヘッドホンの頭頂部に受発光部を設けたことによる弊害を解消するべく、ヘッドホンの左右を接続するヘッドバンド部分に、受光素子又は発光素子を適宜複数個横断的に設置するようなヘッドホンを構想した。しかしながら、ヘッドバンド部分は、ヘッドホンを頭部に装着するに当たって、左右に拡縮自在な可動部分であって、このような可動部分に受発光素子を配することは、素子自体や回路構成に障害を与える可能性がある。また、ヘッドバンド全域に渡って受発光素子を配するのは、製造が難しく、コストもかかる。
【０００９】
装着上の邪魔にならない位置として、スピーカ自体に受発光部を設けることも可能であるが、上述の通り、室内の天井等、ヘッドホン上部に設けられた親機の受発光部との可視光通信を的確に行なう必要があるが、ヘッドホンの左右に位置するスピーカ自体への設置では、上方に位置する親機の受発光部との通信を的確に行なうことは難しかった。
【００１０】
本発明は、上記のような従来技術の課題を解決するもので、その目的は、ヘッドホンの使用上問題にならず、ヘッドホン上部に設けられた親機の受発光部との可視光通信を適切に行うことができ、かつ、低コストで製造容易なヘッドホンを提供することにある。
【課題を解決するための手段】
【００１１】
上記の目的を達成するために、請求項１の発明は、一方にスピーカと、他方にスピーカ又は装着時にユーザの側頭部に当接してヘッドホンの位置固定を行なう当接部と、装着時にユーザの頭部を横断する円弧状のヘッドバンドと、前記スピーカ同士又は前記スピーカと前記当接部とを前記ヘッドバンドを介して接続するハンガと、ユーザから音声の入力を受けるマイクロホンと、受光素子と発光素子とを一体にして備え、受光素子より外部から入力される音声を受信し前記スピーカから出力し、発光素子より前記マイクロホンに入力される音声を外部に出力することにより可視光通信を可能とする受発光部と、を備えたヘッドホンにおいて、前記受発光部は、前記スピーカ又は当接部の上部近傍に位置する前記ヘッドバンドの端部又は前記ハンガに設けられ、この位置は、ヘッドホン装着時において前記ヘッドバンドの拡がりによって傾いた場合に、前記受光素子の指向角に基づく受光範囲が、頭部上を覆うような位置であることを特徴とする。
【００１２】
以上の態様では、受発光部を、ヘッドホンのヘッドバンドにおける頭頂部分でなく、スピーカ及び当接部の上側に設置したことにより、受発光部がヘッドホンのヘッドバンドより突出することなく機器の構成範囲内に収めることができるので、受発光部を、作業現場の他の機器や設備に接触させるなど、作業者や使用者の邪魔となることがない。
【００１３】
また、受発光部を一体に構成し、受光素子による受光範囲が、頭部上を覆うような位置に設けたことにより、ユーザがヘッドホンを頭部に装着した場合に、ヘッドバンドが拡がり、受光素子が親機の設置された天井方向である上方に向いた状態となる。そのため、ヘッドホンの装着上の邪魔にならない位置であって、かつ、ヘッドホン上部に設けられた親機の受発光部との可視光通信を的確に行なうことが可能な位置を確保することができ、装着上及び通信上の利点を両立したヘッドホンを提供することができる。
【００１４】
請求項２の発明は、一方にスピーカと、他方にスピーカ又は装着時にユーザの側頭部に当接してヘッドホンの位置固定を行なう当接部と、装着時にユーザの頭部を横断する円弧状のヘッドバンドと、前記スピーカ同士又は前記スピーカと前記当接部とを前記ヘッドバンドを介して接続するハンガと、ユーザから音声の入力を受けるマイクロホンと、受光素子と発光素子とを一体にして備え、受光素子より外部から入力される音声を受信し前記スピーカから出力し、発光素子より前記マイクロホンに入力される音声を外部に出力することにより可視光通信を可能とする受発光部と、を備えたヘッドホンにおいて、前記受発光部は、前記スピーカ又は当接部の上部近傍に位置する前記ヘッドバンドの端部又は前記ハンガに設けられるとともに、基板により上下に二分され、前記受発光部の前記基板より上側に、前記受光素子が複数設けられ、前記受発光部の前記基板より下側に、前記発光素子が複数設けられ、前記受発光部における前記基板の上側と下側とは、前記基板により遮光されていることを特徴とする。
【００１５】
以上の態様では、受発光部を、ヘッドホンのヘッドバンドにおける頭頂部分でなく、スピーカ及び当接部の上側に設置したことにより、受発光部がヘッドホンのヘッドバンドより突出することなく機器の構成範囲内に収めることができるので、受発光部を、作業現場の他の機器や設備に接触させるなど、作業者や使用者の邪魔となることがない。また、受発光部を二分した上側に受光素子を設けることで、ヘッドホン上部に設けられた親機の受発光部との可視光通信を的確に行うことができるとともに、受光素子と発光素子との間を基板により遮光することで、受光素子において下側に設けられた発光素子からの影響を受けることがない。
【００１６】
請求項３の発明は、請求項２記載の発明において、前記受光素子又は前記発光素子は、前記基板の上下に、それぞれ放射状に設置されたことを特徴とする。
以上の態様では、受光素子と発光素子を、基板上に放射状に配置することで、受光素子において、ヘッドホン上部に設けられた親機である発光部からの光を様々な角度で受信しやすくなるとともに、ヘッドホン上部に設けられた親機である受光部に対しても、様々な角度から光を届けることが可能となる。これにより、本発明のヘッドホンと天井等に設けられた親機との可視光通信をより的確に行うことができる
【００１７】
請求項４の発明は、請求項１〜３のいずれか１項に記載の発明において、前記受発光部は、ヘッドホンの両側にそれぞれ設けられたことを特徴とする。
以上の態様では、受発光部をヘッドホンの両側に設けたことにより、受発光部における受光素子の受光範囲をさらに広げることができ、ヘッドホン上部に設けられた親機の受発光部との可視光通信をより的確に行うことができるようになる。
【００１８】
請求項５の発明は、請求項４記載の発明において、ヘッドホンの両側に設けられた前記受発光部は、ケーブルにより電気的に接続され、このケーブルは、前記ヘッドバンドに収納されたことを特徴とする。
【００１９】
以上の態様では、ヘッドバンドの左右端部方向に設けた受発光部のケーブルを、ヘッドバンド内部に収納し配線することで、受発光部を左右に２つ設けた場合であっても、その配線が邪魔になることなく、シンプルな機器構成とすることが可能である。
【００２０】
請求項６の発明は、請求項１〜５のいずれか１項に記載の発明において、前記ハンガには、ハンガの長さを調整可能な長さ調整機構が設けられたことを特徴とする。
【００２１】
以上の態様では、ハンガに、ユーザがヘッドホンを頭部に装着する際に、頭部サイズに合わせて、スピーカのイヤカップと当接部との距離を調整する長さ調整機構を設けたことで、ヘッドホンの装着感の向上を図ることができるようになる。
【発明の効果】
【００２２】
本発明によれば、ヘッドホンの使用上問題にならず、ヘッドホン上部に設けられた親機の受発光部との可視光通信を的確に行うことができ、かつ、低コストで製造可能なヘッドホンを提供することができる。
【図面の簡単な説明】
【００２３】
【図１】本発明の実施形態に係るヘッドホンの全体構成を示す斜視図（ａ）、正面図（ｂ）、左側面図（ｃ）及び右側面図（ｄ）。
【図２】本発明の実施形態に係るヘッドホンの回路構成を示すブロック図。
【図３】本発明の実施形態に係るヘッドホンの受発光部の構成を示す図。
【図４】本発明の実施形態に係るヘッドホンを頭部に装着した状態を示す模式図。
【図５】本発明の実施形態に係るヘッドホンの受信処理を示すフローチャート図。
【発明を実施するための形態】
【００２４】
本発明を実施するための形態について、図１〜図５を参照して説明する。
【００２５】
［１．本実施形態］
［１−１．全体構成］
本実施形態におけるヘッドホンの構成について、図１を用いて説明する。図１に示すように、ヘッドホン１は、受信した音声をユーザに対して出力する円筒形のスピーカ２及びスピーカ２の内側に設けられたイヤカップＣと、スピーカ２の中心部分において回動自在に軸支され、湾曲したアームによりヘッドホンを装着したユーザの口元へ入力部分を位置づけられ、この位置で音声の入力を受けるマイクロホン３と、スピーカ２と反対の端部に設けられ、後述のヘッドバンド５の一端に接続されスピーカ２の反対側でユーザの頭部に当接して頭部にヘッドホン１を固定する役割を担う当接部４と、全体が板バネ状で円弧を描きヘッドホン１を装着した際に頭部を横断するヘッドバンド５と、このスピーカ２とヘッドバンド５とを接続するハンガＨとからなる。
【００２６】
スピーカ２と当接部４の上部であって、ヘッドバンド５の両端部には、可視光を受信する一方で赤外光を発し、ヘッドホン１とは別に設けられた親機Ｓと可視光通信を行なう受発光部６ａ及び６ｂを備える。なお、ヘッドバンド５には、受発光部６ａ及び６ｂを電気的に接続するケーブルが内蔵されている。
【００２７】
また、ヘッドホン１にはスピーカ２の下部よりケーブルを引き出されている。このケーブルの接続先についての構成は図において省略しているが、ケーブルは、ＡＣ電源又は別体に設けた電池及びヘッドホン１の入出力のボリューム調整を行なうスイッチを備えたリモコンに接続されるものである。
【００２８】
スピーカ２と受発光部６ａとの間、並びに当接部４と受発光部６ｂとの間には、それぞれスピーカ２又は当接部４とヘッドバンド５とを接続するハンガＨ１，Ｈ２が設けられている。このうち、ハンガＨ１には、ユーザがヘッドホン１を頭部に装着する際に、頭部サイズに合わせて、スピーカ２のイヤカップＣと当接部４との距離を調整する長さ調整機構Ｌが設けられている。この長さ調整機構Ｌでは、受発光部６ａ下部の調整部Ｌ１が、段階的にハンガＨ１に収納されることで長さ調整がなされるようになっている。
【００２９】
このようなヘッドホン１における可視光通信を実現するための回路構成は、基本的に従来と同様であり、その一例を示すと、図２のブロック図に示すとおりである。すなわち、ヘッドホン１は、データの受信機能を実現するため、可視光を受光する受発光部６ａ及び６ｂの受光素子６２を構成するフォトダイオードで受信した光データを電気信号に変換する可視光受信部２０３、可視光受信部２０３から出力された音声となる信号を抽出する受信データ分解部２０２、この信号を音声信号となるアナログ信号に変換してヘッドホン１に出力するアナログ変換部２０１を備えている。
【００３０】
また、ヘッドホン１は、データの送信機能を実現するため、ヘッドホン１のマイクロホン３からアナログの音声信号の入力を受け、その音声信号を、受発光部６ａ及び６ｂの発光素子６３を構成するＬＥＤから赤外光によって室内天井に設置された親機Ｓに対して送信する赤外送信部２０４を備えている。
【００３１】
なお、本実施形態のヘッドホン１は、受発光部６ａ及び６ｂの配置構成並びに後述する受発光部６ａ及び６ｂの内部構成に特徴を有するものであり、その他のスピーカ、マイクロホン、当接部、ヘッドバンド、ハンガ等の詳細な構成は、従来のヘッドホンと変わりないので、これらの構成についての説明は省略する。また、親機Ｓの構成についても、従来技術と同様であって、本発明において顕著な構成ではないので説明を省略する。
【００３２】
［１−２．受発光部の構成］
次に、本実施形態のヘッドホン１における受発光部６ａ及び６ｂの配置構成並びに受発光部６ａ及び６ｂの内部構成について詳述する。受発光部６ａ及び６ｂは、図３の正面側からみた拡大図に示すように、回路構成やケーブル等を内蔵しスピーカ、マイクロホン及び反対の端部の受発光部と接続するための内部構成を備えた筐体６１を備え、この筐体６１の表面部分の上下に、それぞれ受光素子６２と、発光素子６３とをそれぞれ複数（本実施形態では、受光素子６２が２つ、発光素子６３が４つ）備える。また、その受光素子と発光素子との間に円盤上の基板６４を備える。筐体６１は、平面側及び側面側形状を方形とし、正面側形状（図３に表れる面）を下方向きの台形状からなる。
【００３３】
また、受発光部６ａ及び６ｂを構成する上記要素は、すべて、外装を構成する透明のカバー６５により覆われている。このカバー６５は、正面側の形状を筐体６１と同様に下向きの台形状とし、筐体６１の平面から、半周面を形成するように突出して設けられており、カバー６５に覆われた基板６４も、このカバー６５の径に合わせた円盤形状となっている。
【００３４】
基板の上側には、左右方向に受光素子６２が２つ設けられている。この受光素子６２としては、上述の通りフォトダイオードを用いる。また、この受光素子６２は、基板６４に対して、垂直方向に取り付けられる。これは、微少の受光素子６２を基板６４に設置するに当たって、角度を設けると、設置精度が悪化するとともに、製造が難しくなるためである。
【００３５】
また、基板の下側には、基板６４の径に合わせて、発光素子６３が４つ周上に設けられている。この発光素子６３としては、赤外光を発するＬＥＤを用いる。
【００３６】
ここで、受光素子６２として想定されるフォトダイオードは、可視光だけでなく赤外光も受光する性質を有するため、近傍の発光素子６３として赤外光を発するＬＥＤを用いた場合には、このＬＥＤの発する赤外光により受光結果に影響を受けることが考えられる。そこで、本実施形態では、受光素子６２と発光素子６３との間に、基板６４を設け、発光素子６３から受光素子６２への干渉を防止するようにしている。
【００３７】
次に、受発光部６ａ及び６ｂのヘッドホン１における配置構成について、図４の模式図を用いて説明する。図４は、平均的な人間の頭部に、本実施形態のヘッドホンを装着した状態を模式的に示すものである。ここでは、平均的な人間の頭部サイズについて、頭部を正面から捉えた際の両耳間隔を１５８ｍｍとし、耳孔から頭頂部までの長さを１３５．４ｍｍとし、側頭部の当接部４が当接する耳の上部位置から頭頂部までの長さを１１０ｍｍとしている。
【００３８】
この場合において、基板６４に対して略垂直に設置された受光素子６２が、上方に向くように基板６４及び受発光部６の位置を決定する。この場合の上方に向く、とは、受光素子６２として用いるフォトダイオードの指向角から、左右の受光素子６２による受光範囲が、頭部上を覆うような位置、すなわち、左右の受発光部６ａ及び６ｂにおける受光素子６２により、頭部の直上範囲を受光範囲としてカバーすることをいう。本実施形態では、３〜５ｍの検出距離を有するフォトダイオードを用いているが、このフォトダイオードの指向角が頭部上を覆うような位置として、基板６４の角度が、水平面に対して１４．６°となるような位置に基板６４及び受発光部６を設置しているものである。
【００３９】
このように本実施形態のヘッドホン１においては、受発光部６及び受発光部６における基板６４は、上述のような平均的なサイズの人間の頭部に、ヘッドホン１を装着した状態を想定し、この状態において、受光素子６２として用いるフォトダイオードの指向角から、左右の受光素子６２による受光範囲が、頭部上を覆うような位置に設置されるように構成するものである。
【００４０】
なお、受光素子６２及び発光素子６３の設置個数は、この実施態様に限定されず、製造コストやＬＥＤ又はＰＤの配光特性に応じて、適宜変更可能である。
【００４１】
［１−３．作用］ 
以上のような構成からなる本実施形態のヘッドホン１は、次の通り作用する。すなわち、ユーザがヘッドホン１を頭部に装着すると、円弧状のヘッドバンド５が左右方向に拡がり、ヘッドバンド５の形成する円弧が大きくなる。これにより、受発光部６ａ及び６ｂが親機Ｓの設置された天井方向である上方に向く。本実施形態において、具体的には受発光部６ａ及び６ｂの基板６４は、水平面に対して１４．６°傾いた状態となる。
【００４２】
これに伴って、基板６４に対して略垂直に取り付けられた受光素子６２は、垂直方向に対して１４．６°傾いた状態となる。この状態は、左右の受発光部６ａ及び６ｂにおける受光素子６２による受光範囲が、頭部上を覆うような位置となる。
【００４３】
このような状態において、室内の天井に設けられた親機Ｓから送信される可視光を受光素子６２により受信することができ、受光素子６２により可視光を受信すると、ヘッドホン１において次のような処理がなされる。すなわち、図５に示すように、ヘッドホン１に設けられた受光素子６２が親機Ｓからの可視光データを受信すると、その可視光受信部２０３が、可視光データをＦＭ復調し（ステップ１）、親機Ｓから続いて送信される音声データを含むパケットを受信して、受信データ分解部２０２に送出する。受信データ分解部２０２は、受信したパケットから音声信号を抽出し（ステップ２）、これをアナログ変換部２０１によってアナログに変換して（ステップ３）、ヘッドホン１のスピーカ２から音声として出力する（ステップ４）。
【００４４】
一方、ヘッドホン１のマイクロホン３からアナログの音声信号が入力されると、赤外送信部２０４は、この音声信号を室内の天井に設けられた親機Ｓに対して、基板６４を挟んで下側に設けられた発光素子６３を構成するＬＥＤから赤外光を発して、データ送信を行なう。
【００４５】
［１−４．効果］ 
以上のような本実施形態のヘッドホン１によれば、受発光部６ａ及び６ｂを、ヘッドホン１のヘッドバンド５における頭頂部分でなく、スピーカ２及び当接部４の上側に設置したことにより、ヘッドホン１のヘッドバンドより突出することなく機器の構成範囲内に収めることができるので、受発光部を、作業現場の他の機器や設備に接触させるなど、作業者や使用者の邪魔となることがない。
【００４６】
また、受発光部６ａ及び６ｂを、一体に構成し、左右の受光素子６２による受光範囲が、頭部上を覆うような位置に設けたことにより、ユーザがヘッドホン１を頭部に装着した場合に、ヘッドバンド５が拡がり受発光部６が親機Ｓの設置された天井方向である上方に向き、受発光部６の基板６４は、水平面に対して１４．６°傾いた状態となる。これにより、基板６４に対して略垂直に取り付けられた受光素子６２は、垂直方向に対して１４．６°傾いた状態となる。そのため、ヘッドホン１の装着上の邪魔にならない位置であって、かつ、ヘッドホン上部に設けられた親機Ｓの受発光部との可視光通信を的確に行なうことが可能な位置を確保することができ、装着上及び通信上の利点を両立したヘッドホンを提供することができる。
【００４７】
ヘッドホン１では、マイクロホン３のアームが、図３の模式図に示したように、可動式で不使用時には上部に上げる場合もある。このとき、受発光部６を、スピーカや当接部に設けた場合には、このマイクロホン３のアームと干渉することが考えられるが、本実施形態のヘッドホン１では、このような干渉もなく、ヘッドホン１の他の構成に対して障害となることがない。
【００４８】
本実施形態のヘッドホン１においては、受発光部６ａ及び６ｂを筐体内に一体に構成し、これをヘッドホン１に対して設置することにより、ヘッドホンの左右を接続するヘッドバンドに、受光素子又は発光素子を適宜複数個横断的に設置するような場合に比して、製造が容易で、構成を一箇所に集中させることで、製造コストの低減を図ることも可能である。
【００４９】
また、受発光部６ａ及び６ｂの上側に受光素子６２を設けることで、ヘッドホン１上部に設けられた親機Ｓである受発光部との可視光通信を的確に行うことができるとともに、受光素子６２と発光素子６３との間を基板６４により遮光することで、受光素子６２において下側に設けられた発光素子６３からの影響を受けることがない。
【００５０】
また、受発光部６ａ及び６ｂをヘッドホン１の両側に設けたことにより、受発光部６ａ及び６ｂにおける受光素子６２の受光範囲をさらに広げることができ、ヘッドホン１上部に設けられた親機Ｓである受発光部との可視光通信をより的確に行うことができるようになった。
【００５１】
ヘッドバンド５の左右端部方向に設けた受発光部６のケーブルを、ヘッドバンド５内部に収納し配線することで、受発光部６ａ及び６ｂを左右に２つ設けた場合であっても、その配線が邪魔になることなく、シンプルな機器構成とすることが可能である。
【００５２】
以上のような本実施形態によれば、ヘッドホンの使用上問題にならず、ヘッドホン上部に設けられた親機の受発光部との可視光通信を的確に行うことができ、かつ、低コストで製造可能なヘッドホンを提供することが可能である。
【００５３】
［２．他の実施形態］
本発明は、上述の実施形態に記載したものに限らず、例えば以下のような態様も包含する。本実施形態におけるヘッドホンは、主として、工場や機械設備等の現場における作業・保守やテレビ局等の放送局の現場において用いられることを想定しているため、上述のように、スピーカを一方にのみ設け、他方に当接部を設けた構成としているが、本発明は、このような態様に限られず、スピーカを左右両方に設けたヘッドホンにおいても実現可能である。
【００５４】
本実施形態では、ヘッドホン１の受発光部６の構成として、基板６４において上下に二分し、この基板６４において上下を遮光し、上側に受光素子６２を、下側に発光素子６３を設ける構成としたが、本発明はこのような構成に限られない。すなわち、受光素子６２が発光素子６３から発せられる赤外光の影響を受けないような構成であれば、上下段に分ける必要はなく、例えば、図３に示す上段における２つの受光素子６２の間に、発光素子６３を配置し、発光素子６３と２つの受光素子６２との間に遮蔽板を配置するなどによって構成することも可能である。本発明は、受光素子の指向角に基づく受光範囲が、頭部上を覆うような位置に設置されるように、受発光部を設置することにあり、この条件を満たす限り、受発光部６の具体的内部配置は、種々の態様を採用可能である。
【００５５】
本実施形態のヘッドホン１では、スピーカ２の下部よりケーブルを引き出して、ＡＣ電源又は別体に設けた電池及びヘッドホン１の入出力のボリューム調整を行なうスイッチを備えたリモコンに接続するような構成としているが、設置スペースやヘッドホンの重量を考えた上で、製品上弊害とならなければ、スピーカ２に電池やボリュームコントロールを内蔵することも可能である。
【００５６】
本実施形態においては、受光素子６１が、発光素子６２から発せられる赤外光の影響を受けないように、カバー６５の受光素子６１側、すなわち上部側に、可視光を通過させ、赤外光を遮蔽するフィルムを付加することも可能である。
【００５７】
また、上記実施形態において、カバー６５は、受光素子６２を構成するＰＤ及び発光素子６３を構成するＬＥＤの配置に合わせて、半円状の周面を構成するようにしたが、カバー６５の形状は、このような場合に限られず、受光素子６２及び発光素子６３の配置構成に対応させて多面形状で構成することも可能である。
【００５８】
さらに、本実施形態では、製造容易の観点から、受光素子６２であるフォトダイオードを基板６４に対して垂直に設置することを前提とし、受光素子６２を上方に向けるに当たって、この基板６４の角度を基準に上方の傾きを決定したが、本発明はこのような場合に限られるものではない。すなわち、製造過程の容易さを考慮しない場合には、基板６４を筐体６１に対して、例えば常に水平に設置し、受光素子６２を、受光素子６２の指向角に基づいて基板６４に対して傾けて設置することで、受光素子６２による受光範囲が、頭部上を覆うような位置に調整して、その位置を決定することも可能である。
【００５９】
また、上記実施形態において、受発光部６は、ヘッドバンド５の両端部に設けているが、本発明は、このような態様に限られない。すなわち、上述の通り、本発明は、受光素子の指向角に基づく受光範囲が、頭部上を覆うような位置に設置されるように、受発光部を設置することにあり、この条件を満たす限り、スピーカ２又は当接部４と、ヘッドバンド５とを接続するハンガＨ１，Ｈ２部分に設けることも可能である。
【符号の説明】
【００６０】
１…ヘッドホン
２…スピーカ
３…マイクロホン
４…当接部
５…ヘッドバンド
６，６ａ，６ｂ…受発光部
６１…筐体
６２…受光素子
６３…発光素子
６４…基板
６５…カバー
２０１…アナログ変換部
２０２…受信データ分解部
２０３…可視光受信部
２０４…赤外送信部
Ｃ…イヤカップ
Ｈ１，Ｈ２…ハンガ
Ｌ…長さ調整機構
Ｌ１…調整部
Ｓ…親機
【図１】
2011035570.tif 000003
【図２】
2011035570.tif 000004
【図３】
2011035570.tif 000005
【図４】
2011035570.tif 000006
【図５】
2011035570.tif 000007